【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
通信装置であって、
移動体通信網である第１のネットワークを介して他の装置と通信する第１の通信手段と、
前記移動体通信網とは異なる第２のネットワークを介して他の装置と通信する第２の通信手段と、
近接無線通信で他の装置と通信する第３の通信手段とを有し、
前記第２のネットワークに接続していない状態で前記第３の通信手段により外部装置の近接が検出された場合、前記第２のネットワークに接続するための通信パラメータを前記第３の通信手段を用いて前記外部装置と共有し、
他の装置が形成した前記第２のネットワークに接続している状態で前記外部装置の近接が検出された場合、前記通信装置が既に前記第２のネットワークに接続していることを示す通知を前記第３の通信手段を用いて前記外部装置に送信することを特徴とする通信装置。
【請求項２】
前記第１のネットワークに接続している状態で前記第３の通信手段により前記外部装置の近接が検出された場合、前記第３の通信手段は、前記外部装置により形成された前記第２のネットワークに接続するための通信パラメータを前記外部装置から受信することで前記通信パラメータを共有することを特徴とする請求項１に記載の通信装置。
【請求項３】
前記第２のネットワークを形成する形成手段をさらに有し、
前記第３の通信手段は、前記形成手段により形成された前記第２のネットワークに接続するための通信パラメータを前記外部装置に送信することで、前記通信パラメータを共有することを特徴とする請求項１に記載の通信装置。
【請求項４】
前記形成手段は、前記第１の通信手段により前記第１のネットワークに接続している状態で前記第３の通信手段により外部装置の近接が検出されたことに応じて前記第２のネットワークを形成することを特徴とする請求項３に記載の通信装置。
【請求項５】
前記形成手段が形成した前記第２のネットワークに接続するための通信パラメータを前記外部装置と共有することで前記外部装置との通信が確立した場合、前記外部装置から前記第２の通信手段を介して受信したデータを、前記第１の通信手段を用いて第１のネットワーク上に送信することを特徴とする請求項１乃至４のいずれか１項に記載の通信装置。
【請求項６】
前記第３の通信手段により共有される通信パラメータは、前記第２のネットワークのＩＤ及び暗号化キーを含むことを特徴とする請求項１乃至５のいずれか１項に記載の通信装置。
【請求項７】
前記第３の通信手段により共有される通信パラメータは、前記第２のネットワークのＩＤを含み、暗号化キーを含まないことを特徴とする請求項１乃至５のいずれか１項に記載の通信装置。
【請求項８】
前記第２のネットワークはローカルエリアネットワークであることを特徴とする請求項１乃至７のいずれか１項に記載の通信装置。
【請求項９】
前記第２の通信手段は、無線ＬＡＮによる通信を行うことを特徴とする請求項８に記載の通信装置。
【請求項１０】
前記第３の通信手段は、ＮＦＣ（Ｎｅａｒ  Ｆｉｅｌｄ  Ｃｏｍｍｕｎｉｃａｔｉｏｎ）による通信を行うことを特徴とする請求項１乃至９のいずれか１項に記載の通信装置。
【請求項１１】
前記第３の通信手段は、前記通信装置のアドレスを送信することを特徴とする請求項１乃至１０のいずれか１項に記載の通信装置。
【請求項１２】
前記第３の通信手段は、前記外部装置のアドレスを受信することを特徴とする請求項１乃至１１のいずれか１項に記載の通信装置。
【請求項１３】
前記通信装置は携帯電話であることを特徴とする請求項１乃至１２のいずれか１項に記載の通信装置。
【請求項１４】
前記外部装置は撮像装置であることを特徴とする請求項１乃至１３のいずれか１項に記載の通信装置。
【請求項１５】
通信装置であって、
移動体通信網である第１のネットワークを介して他の装置と通信する第１の通信手段と、
前記移動体通信網とは異なる第２のネットワークを介して他の装置と通信する第２の通信手段と、
前記第２のネットワークを形成する形成手段と、
近接無線通信で他の装置と通信する第３の通信手段とを有し、
前記第１のネットワークに接続している状態で前記第３の通信手段により外部装置の近接が検出された場合、前記第３の通信手段は、前記形成手段が形成する前記第２のネットワークに接続するための通信パラメータを前記外部装置に送信し、
他の装置が形成した前記第２のネットワークに接続している状態で前記外部装置の近接が検出された場合、前記第３の通信手段は、前記他の装置が形成する前記第２のネットワークに接続するための通信パラメータを前記外部装置に送信することを特徴とする通信装置。
【請求項１６】
通信装置であって、
移動体通信網である第１のネットワークを介して他の装置と通信する第１の通信手段と、
前記移動体通信網とは異なる第２のネットワークを介して他の装置と通信する第２の通信手段と、
近接無線通信で他の装置と通信する第３の通信手段とを有し、
前記第１のネットワークに接続している状態で前記第３の通信手段により外部装置の近接が検出された場合、前記第３の通信手段は、前記外部装置が形成する前記第２のネットワークに接続するための通信パラメータを前記外部装置から受信し、
他の装置が形成した前記第２のネットワークに接続している状態で前記外部装置の近接が検出された場合、前記第３の通信手段は、前記他の装置が形成する前記第２のネットワークに接続するための通信パラメータを前記外部装置に送信することを特徴とする通信装置。
【請求項１７】
通信装置であって、
移動体通信網である第１のネットワークに接続する第１の通信手段と、
前記移動体通信網とは異なる第２のネットワークを介して外部装置と通信する第２の通信手段と、
近距離無線通信で前記外部装置と通信する第３の通信手段とを有し、
他の装置が形成した前記第２のネットワークに接続していない状態で前記第３の通信手段により前記外部装置と接続する場合、前記第３の通信手段は、前記外部装置が形成する前記第２のネットワークに接続するための通信パラメータを前記外部装置から受信し、
前記他の装置が形成した前記第２のネットワークに接続している状態で前記第３の通信手段により前記外部装置と接続する場合、前記第３の通信手段は、前記他の装置が形成する前記第２のネットワークに接続するための通信パラメータを前記外部装置に送信することを特徴とする通信装置。
【請求項１８】
前記外部装置が形成する前記第２のネットワークに接続するための通信パラメータは、前記第２のネットワークのＩＤ及び暗号化キーを含み、
前記他の装置が形成する前記第２のネットワークに接続するための通信パラメータは、前記第２のネットワークのＩＤ及び暗号化キーを含むことを特徴とする請求項１６または１７に記載の通信装置。
【請求項１９】
前記外部装置が形成する前記第２のネットワークに接続するための通信パラメータは、前記第２のネットワークのＩＤを含み、暗号化キーを含まず、
前記他の装置が形成する前記第２のネットワークに接続するための通信パラメータは、前記第２のネットワークのＩＤを含み、暗号化キーを含まないことを特徴とする請求項１６または１７に記載の通信装置。
【請求項２０】
前記第２の通信手段は、無線ＬＡＮによる通信を行うことを特徴とする請求項１６乃至１９のいずれか１項に記載の通信装置。
【請求項２１】
前記第２のネットワークのＩＤはＥＳＳＩＤ（Ｅｘｔｅｎｄｅｄ  Ｓｅｒｖｉｃｅ  Ｓｅｔ  Ｉｄｅｎｔｉｆｉｅｒ）であることを特徴とする請求項２０に記載の通信装置。
【請求項２２】
前記第２の通信手段は、インフラストラクチャモードで前記第２のネットワークに接続することを特徴とする請求項２０または２１に記載の通信装置。
【請求項２３】
前記第１の通信手段を介して前記移動体通信網に接続中であるか否かを示すアイコン、および、前記第２の通信手段を介して前記第２のネットワークに接続中であるか否かを示すアイコンを表示する表示手段を更に有することを特徴とする請求項１５乃至２２のいずれか１項に記載の通信装置。
【請求項２４】
移動体通信網である第１のネットワーク及び前記移動体通信網とは異なる第２のネットワークに接続可能な外部装置と通信可能な通信装置であって、
表示手段と、
前記外部装置と前記第２のネットワークを介して通信する第１の通信手段と
近接無線通信で前記外部装置と通信する第２の通信手段とを有し、
前記外部装置との近接が検出された場合、前記第２の通信手段は前記第２のネットワークに接続するための通信パラメータまたは所定の通知を受信し、
前記第２の通信手段が前記通信パラメータを受信した場合、前記第１の通信手段は前記通信パラメータに基づき所定のネットワークに接続し、
前記第２の通信手段が前記所定の通知を受信した場合、前記表示手段は前記通知の内容を含む通知画面を表示することを特徴とする通信装置。
【請求項２５】
前記表示手段は、前記通知画面に周囲のネットワークを検索するための指示部を表示することを特徴とする請求項２４に記載の通信装置。
【請求項２６】
移動体通信網である第１のネットワークを介して他の装置と通信する第１の通信手段と、前記移動体通信網とは異なる第２のネットワークを介して他の装置と通信する第２の通信手段と、近接無線通信で他の装置と通信する第３の通信手段とを有する通信装置の制御方法であって、
前記第２のネットワークに接続していない状態で外部装置の近接が検出された場合、前記第２のネットワークに接続するための通信パラメータを前記第３の通信手段を用いて前記外部装置と共有するステップと、
他の装置が形成した前記第２のネットワークに接続している状態で前記外部装置の近接が検出された場合、前記通信装置が既に前記第２のネットワークに接続していることを示す通知を前記第３の通信手段を用いて前記外部装置に送信するステップとを有することを特徴とする通信装置の制御方法。
【請求項２７】
通信装置のコンピュータを、請求項１乃至２５のいずれか１項に記載の通信装置の各手段として機能させることを特徴とするコンピュータが実行可能なプログラム。
【手続補正２】
【補正対象書類名】明細書
【補正対象項目名】０００６
【補正方法】変更
【補正の内容】
【０００６】
本発明に係る通信装置は、移動体通信網である第１のネットワークを介して他の装置と通信する第１の通信手段と、前記移動体通信網とは異なる第２のネットワークを介して他の装置と通信する第２の通信手段と、近接無線通信で他の装置と通信する第３の通信手段とを有し、前記第２のネットワークに接続していない状態で前記第３の通信手段により外部装置の近接が検出された場合、前記第２のネットワークに接続するための通信パラメータを前記第３の通信手段を用いて前記外部装置と共有し、他の装置が形成した前記第２のネットワークに接続している状態で前記外部装置の近接が検出された場合、前記通信装置が既に前記第２のネットワークに接続していることを示す通知を前記第３の通信手段を用いて前記外部装置に送信することを特徴とする。